【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
長手方向に延びている長さと、側方方向に延びている幅とを有し、前記長さは、前記幅よりも長いハウジングであって、このハウジングを貫通し、前記長手方向に細長い開口と、前記開口を中心として位置された周縁フランジとを有するハウジングと、
前記開口を通って延びている複数の導電ピンと、
前記開口を完全に充填し、前記複数の導電ピンの各々を前記ハウジングにハーメチックシールし、前記導電ピンの各々を前記ハウジングから、及び互いに電気的に絶縁するガラスシールとを具備し、
前記ガラスシールは、複数の予め形成された開口を規定しているガラスビードにより形成されたシングルピースのガラス構成部品を有し、前記複数の導電ピンが、対応している前記複数の予め形成された開口を貫通し、
前記ガラスシールの長さ対幅のアスペクト比は、少なくとも１．８：１であるハーメチックフィードスルー。
【請求項２】
前記複数の導電ピンは、複数の導電ピンを含む第１のグループと、複数の導電ピンを含む第２のグループとに分けられ、
前記第１のグループと前記第２のグループとは、前記長手方向に沿って互いに離間されている請求項１のハーメチックフィードスルー。
【請求項３】
前記ハウジングは、前記長手方向に延び、側方方向に互いに離間された２つの側壁と、前記２つの側壁の間に延び、前記長手方向に互いに離間された２つの端壁とをさらに具備し、
前記側壁は、第１の厚さを有し、前記端壁は、前記第１の厚さよりも薄い第２の厚さを有する請求項２のハーメチックフィードスルー。
【請求項４】
前記シングルピースのガラス構成部品は、前記複数の導電ピンに対応している複数の開口を規定している請求項１のハーメチックフィードスルー。
【請求項５】
前記シングルピースのガラス構成部品は、約１．８：１ないし約３．８：１のアスペクト比の細長い形状を有する請求項１のハーメチックフィードスルー。
【請求項６】
前記複数の導電ピンは、複数の導電ピンを含む第１のグループと、複数の導電ピンを含む第２のグループとに分けられ、
前記シール構造体は、第１のシングルピースのガラス構成部品と、第２のシングルピースのガラス構成部品とを有し、
前記第１のシングルピースのガラス構成部品は、前記第１のグループの導電ピンを前記ハウジングにシールし、
前記第２のシングルピースのガラス構成部品は、前記第２のグループの導電ピンを前記ハウジングにシールする請求項１のハーメチックフィードスルー。
【請求項７】
前記第１のシングルピースのガラス構成部品と前記第２のシングルピースのガラス構成部品とは、前記ハウジングの長手方向に沿ってアライメントされ、
前記ハウジングは、前記開口を横切って延び、前記第１のシングルピースのガラス構成部品と前記第２のシングルピースのガラス構成部品との間に位置されたブリッジ部材をさらに有し、
前記第１のシングルピースのガラス構成部品は、前記第１のグループの導電ピンを前記ハウジング及び前記ブリッジ部材にシールし、
前記第２のシングルピースのガラス構成部品は、前記第２のグループの導電ピンを前記ハウジング及び前記ブリッジ部材にシールしている請求項６のハーメチックフィードスルー。
【請求項８】
前記ブリッジ部材は、前記ハウジングの前記長手方向に垂直な横手方向に前記開口を横切って延びている請求項７のハーメチックフィードスルー。
【請求項９】
前記第１のシングルピースのガラス構成部品及び前記第２のシングルピースのガラス構成部品の各々は、前記複数の導電ピンの半分をシールしている請求項７のハーメチックフィードスルー。
【請求項１０】
前記導電ピンは、前記長手方向に沿って２列でアライメントされている請求項７のハーメチックフィードスルー。
【請求項１１】
前記シングルピースのガラス構成部品の表面で前記複数の導電ピンの少なくとも１つの周りに複数のコーティングをさらに具備する請求項１のハーメチックフィードスルー。
【請求項１２】
前記ガラス構成部品は、凹み部分を含む表面を有する請求項１のハーメチックフィードスルー。
【請求項１３】
細長い開口を規定しているハウジング本体であって、このハウジング本体の長手方向に沿って延びている１対の長手壁と、前記長手方向に垂直な横手方向に沿って延びている１対の端壁とを有する、ハウジング本体と、
前記細長い開口を貫通している複数の導電ピンの第１のグループと、
前記細長い開口を貫通している複数の導電ピンの第２のグループと、
前記横手方向に前記開口を横切って延び、前記第１のグループの導電ピンを前記第２のグループの導電ピンから分離するブリッジ部材と、
前記第１のグループの導電ピンに対応している複数の開口を規定し、前記第１のグループの導電ピンを前記ハウジング本体の前記細長い開口にハーメチックシールし、前記第１のグループの導電ピンの各々を前記ハウジング本体から、及び互いに電気的に絶縁する第１のシングルピースのガラス構成部品と、
前記第２のグループの導電ピンに対応している複数の開口を規定し、前記第２のグループの導電ピンを前記ハウジング本体の前記細長い開口にハーメチックシールし、前記第２のグループの導電ピンの各々を前記ハウジング本体から、及び互いに電気的に絶縁する第２のシングルピースのガラス構成部品とを具備し、
前記第１のシングルピースのガラス構成部品と前記第２のシングルピースのガラス構成部品とは、前記ハウジング本体の前記長手方向に沿ってアライメントされているハーメチックフィードスルー。
【請求項１４】
開口を規定している本体と、
前記開口を通って延びている複数の導電ピンと、
前記複数の導電ピンの各々を前記本体にハーメチックシールし、前記複数の導電ピンの各々を前記本体から、及び互いに電気的に絶縁するために、前記開口に設けられたシール構造体とを具備し、
前記複数の導電ピンは、複数の導電ピンを含む第１のグループと、複数の導電ピンを含む第２のグループとに分けられ、
前記シール構造体は、第１のシングルピースのガラス構成部品と、第２のシングルピースのガラス構成部品とを有し、
前記第１のシングルピースのガラス構成部品は、前記第１のグループの導電ピンを前記本体にハーメチックシールし、前記第１のグループの導電ピンの各々を前記本体から、及び互いに電気的に絶縁し、
前記第２のシングルピースのガラス構成部品は、前記第２のグループの導電ピンを前記本体にハーメチックシールし、前記第２のグループの導電ピンの各々を前記本体から、及び互いに電気的に絶縁するハーメチックフィードスルー。
【請求項１５】
開口と、前記開口を第１の受けスペースと第２の受けスペースとに分離するブリッジ部材とを有する本体と、
前記本体の前記第１の受けスペースを通って延びている第１の複数の導電ピンと、
前記本体の前記第２の受けスペースを通って延びている第２の複数の導電ピンと、
前記導電ピンを前記本体にハーメチックシールするシール構造体とを具備し、
前記シール構造体は、
前記第１の複数の導電ピンの各々を前記本体にハーメチックシールすることと、前記第１の複数の導電ピンの各々を前記本体から、及び互いに電気的に絶縁することとの両方をする第１のシングルピースのガラス構成部品と、
前記第２の複数の導電ピンの各々を前記本体にハーメチックシールすることと、前記第２の複数の導電ピンの各々を前記本体から、及び互いに電気的に絶縁することとの両方をする第２のシングルピースのガラス構成部品とを有するハーメチックフィードスルー。
【請求項１６】
前記第１及び第２のシングルピースのガラス構成部品の少なくとも一方は、少なくとも１：１ないし約４：１よりも大きなアスペクト比を有する請求項１３ないし１５のいずれか１のハーメチックフィードスルー。
【請求項１７】
前記第１及び第２のシングルピースのガラス構成部品の少なくとも一方は、約１．８：１ないし約３．８：１のアスペクト比を有する請求項１６のハーメチックフィードスルー。
【請求項１８】
前記ブリッジ部材は、前記本体の長手方向をほぼ横切って延びている請求項１５のハーメチックフィードスルー。
【請求項１９】
前記第１の複数の導電ピンの導電ピンの数と、前記第２の複数の導電ピンの導電ピンの数とは、同じである請求項１５のハーメチックフィードスルー。
【請求項２０】
ハウジング本体と、
前記ハウジング本体を通って延びている複数のグループの導電ピンと、
前記複数のグループの導電ピンの対応するピンを前記ハウジング本体にハーメチックシールし、前記複数のグループの導電ピンの対応するピンの各々を前記ハウジング本体から、及び互いに電気的に絶縁する複数のシングルピースのガラス構成部品とを具備し、
前記複数のシングルピースのガラス構成部品は、前記ハウジング本体の長手方向に沿ってアライメントされ、
前記ハウジング本体は、各々が前記複数のシングルピースのガラス構成部品の隣接している２つを分離している複数のブリッジ部材を有するハーメチックフィードスルー。
【請求項２１】
前記複数のガラス構成部品は、異なるサイズを有する請求項２０のハーメチックシール。
【請求項２２】
請求項１ないし２１のいずれか１のハーメチックフィードスルーを具備するハードディスクドライブ。
【手続補正２】
【補正対象書類名】明細書
【補正対象項目名】００４３
【補正方法】変更
【補正の内容】
【００４３】
この説明は、単なる例示であり、従って、本開示の要旨を逸脱しない変形が、本開示の範囲内に含まれることが意図されている。本発明の適用可能性のあるさらなる分野は、以下に与えられる詳細な説明から明らかになる。説明及び特定の例は、本発明の好ましい実施の形態を示すものであり、説明の目的のみを意図するものであり、本開示の範囲を限定することを意図するものではないことが理解されるべきである。
以下に、本出願の出願当初の特許請求の範囲に記載された発明を付記する。
［１］中空スペースを規定しているハウジング本体と、前記中空スペースを通って延びている複数の導電ピンと、前記中空スペースに設けられたシール構造体とを具備し、前記シール構造体は、少なくとも２つの導電ピンを前記ハウジング本体にハーメチックシールし、かつ、前記ハウジング本体から、及び互いから前記少なくとも２つの導電ピンを電気的に絶縁するためのシングルピースのガラス構成部品を具備するハーメチックフィードスルー。
［２］前記シール構造体は、１つのシングルピースのガラス構成部品のみを有し、前記１つのシングルピースのガラス構成部品は、前記中空スペースの形状に対応する形状を有する［１］のハーメチックフィードスルー。
［３］前記シングルピースのガラス構成部品は、前記複数の導電ピンに対応している複数の開口を規定している［２］のハーメチックフィードスルー。
［４］前記シングルピースのガラス構成部品は、少なくとも１：１ないし約４：１よりも大きなアスペクト比を有する［２］のハーメチックフィードスルー。
［５］前記シングルピースのガラス構成部品は、約１．８：１ないし約３：８：１のアスペクト比を有する細長い形状を有する［４］のハーメチックフィードスルー。
［６］前記シングルピースのガラス構成部品は、約１．８：１のアスペクト比を有する細長い形状を有する［２］のハーメチックフィードスルー。
［７］前記複数の導電ピンは、複数の導電ピンを有する第１のグループと、複数の導電ピンを有する第２のグループとに分けられ、前記シール構造体は、第１のシングルピースのガラス構成部品と第２のシングルピースのガラス構成部品とを有し、前記第１のシングルピースのガラス構成部品は、前記第１のグループの導電ピンを前記ハウジング本体にシールし、前記第２のシングルピースのガラス構成部品は、前記第２のグループの導電ピンを前記ハウジング本体にシールする［１］のハーメチックフィードスルー。
［８］前記第１のシングルピースのガラスの構成要素及び第２のシングルピースのガラスの構成要素は、前記ハウジング本体の長手方向に沿ってアライメントされている［７］のハーメチックフィードスルー。
［９］前記第１のシングルピースのガラス構成部品と前記第２のシングルピースのガラス構成部品の間にさらにブリッジ部材を具備する［７］のハーメチックフィードスルー。
［１０］前記第１のシングルピースのガラス構成部品は、前記第１のグループの導電ピンを前記ハウジング本体及び前記ブリッジ部材にシールし、前記第２のシングルピースのガラス構成部品は、前記第２のグループの導電ピンを前記ハウジング本体及び前記ブリッジ部材にシールしている［９］のハーメチックフィードスルー。
［１１］前記ブリッジ部材は、前記ハウジング本体の長手方向に垂直な横手方向に前記中空スペースを横切って延びている［１０］のハーメチックフィードスルー。
［１２］前記第１のシングルピースのガラス構成部品及び前記第２のシングルピースのガラス構成部品の各々は、前記複数の導電ピンの半分をシールしている［１１］のハーメチックフィードスルー。
［１３］前記導電ピンは、前記長手方向に沿って２列でアライメントされている［１２］のハーメチックフィードスルー。
［１４］前記ハウジング本体は、前記ハウジング本体の長手方向に沿って延びている１対の長手壁と、前記長手壁を接続している１対の端壁とを有し、前記長手壁は、前記端壁の厚さとは異なる厚さを有する［１］のハーメチックフィードスルー。
［１５］前記端壁は、前記長手壁よりも薄い［１４］のハーメチックフィードスルー。
［１６］前記シングルピースのガラス構成部品は、凹み部分を有するようにして形成された表面を有する［１］のハーメチックフィードスルー。
［１７］前記シングルピースのガラス構成部品の表面で前記複数の導電ピンの少なくとも１つの周りに複数のコーティングをさらに具備する［１］のハーメチックフィードスルー。
［１８］細長い中空スペースを規定しているハウジング本体であって、ハウジング本体の長手方向に沿って延びている１対の長手壁と、前記長手方向に垂直な横手方向に沿った１対の端壁とを有する、ハウジング本体と、前記細長い中空スペースを貫通している複数の導電ピンの第１のグループと、前記細長い中空スペースを貫通している複数の導電ピンの第２のグループと、前記横手方向に前記中空スペースを横切って延び、前記第１のグループの導電ピンを前記第２のグループの導電ピンから分離しているブリッジ部材と、前記第１のグループの導電ピンに対応している複数の開口を規定し、前記第１のグループの導電ピンを前記ブリッジ部材及び前記ハウジング本体にシールしている第１のシングルピースのガラス構成部品と、前記第２のグループの導電ピンに対応している複数の開口を規定し、前記第２のグループの導電ピンを前記ブリッジ部材及び前記ハウジング本体にシールしている第２のシングルピースのガラス構成部品とを具備し、前記第１のシングルピースのガラス構成部品及び前記第２のシングルピースのガラス構成部品は、前記ハウジング本体の前記長手方向に沿ってアライメントされ、前記端壁は、前記長手壁よりも薄いハーメチックフィードスルー。
［１９］中空のハウジング本体と、前記中空のハウジング本体を通って延び、各グループが少なくとも２つの導電ピンを有する複数の導電ピンを含む複数のグループと、前記複数のグループの導電ピンの対応する１つを前記ハウジング本体にシールするために、前記複数のグループの導電ピンに対応し、前記中空のハウジング本体の長手方向に沿ってアライメントされている複数のシングルピースのガラス構成部品と、前記複数のシングルピースのガラス構成部品の隣接している２つを分離している複数のブリッジ部材とを具備するハーメチックフィードスルー。
［２０］前記複数のシール構成要素は、異なるサイズを有する［１９］のハーメチックシール。